(57)【要約】【課題】  接続する装置間の距離によらず、出力される信号のレベルを最適に調整することができるＫＶＭ切替器を提供する。【解決手段】  サーバユニット２は、映像信号の歪み調整に使用する基準信号を発生する基準信号発生部３４ａを有し、メインユニット３は、基準信号を受信して、映像信号の歪み調整を行うマイコン４９と、映像信号の歪み調整に使用する基準信号を発生する基準信号発生部４７とを有し、ユーザユニット４は、基準信号を受信して、映像信号の歪み調整を行うマイコン５５ａを有している。【選択図】        図１
2008129908.tif 000002
【特許請求の範囲】
【請求項１】
複数のコンピュータ装置のそれぞれに接続した複数のサーバユニットと、前記複数のコンピュータ装置に対して信号の入出力を行うための複数の入出力装置にそれぞれ接続した複数のユーザユニットと、前記複数のサーバユニットと前記複数のユーザユニットとを選択的に接続するメインユニットとを有し、入出力装置にて信号の入出力対象となるコンピュータ装置を切り替えるＫＶＭ切替器であって、
前記サーバユニットは、映像信号の歪み調整に使用する第１基準信号を発生する第１基準信号発生手段を有し、
前記メインユニットは、前記第１基準信号を受信して、前記映像信号の歪み調整を行う第１調整手段と、前記映像信号の歪み調整に使用する第２基準信号を発生する第２基準信号発生手段とを有し、
前記ユーザユニットは、前記第２基準信号を受信して、前記映像信号の歪み調整を行う第２調整手段を有することを特徴とするＫＶＭ切替器。
【請求項２】
前記第１調整手段と前記第２調整手段は、受信した基準信号から信号の歪み量を算出し、該歪み量をもとに映像信号の調整を行うことを特徴とする請求項１記載のＫＶＭ切替器。
【請求項３】
前記第１調整手段と前記第２調整手段の少なくとも一方は、前記入出力装置からの操作入力に従って、前記映像信号の歪み調整を行うことを特徴とする請求項１又は２記載のＫＶＭ切替器。
【請求項４】
前記第１調整手段と前記第２調整手段との少なくとも一方は、前記信号の歪み量を複数回測定して、歪み量の最大値と最小値との少なくとも一方を求め、該最大値と最小値との少なくとも一方が設定された範囲内になければ、調整不可能と判定することを特徴とする請求項２記載のＫＶＭ切替器。
【請求項５】
複数のコンピュータ装置に接続した複数のサーバユニットと、複数の入出力装置に接続した複数のユーザユニットと、前記サーバユニットと前記ユーザユニットとを選択的に接続するメインユニットとを有するＫＶＭ切替器の調整方法であって、
前記サーバユニットにおいて、映像信号の歪み調整に使用する第１基準信号を発生するステップを有し、
前記メインユニットにおいて、前記第１基準信号を受信して、前記映像信号の歪み調整を行うステップと、前記映像信号の歪み調整に使用する第２基準信号を発生するステップとを有し、
前記ユーザユニットにおいて、前記第２基準信号を受信して、前記映像信号の歪み調整を行うステップを有することを特徴とするＫＶＭ切替器の調整方法。
【発明の詳細な説明】
【技術分野】
【０００１】
本発明は、複数のコンピュータをキーボード、マウス、ディスプレイを備えた入出力装置で制御するＫＶＭ切替器に関する。
【背景技術】
【０００２】
ＫＶＭ切替器は、入出力装置と複数のコンピュータとの間に接続され、入出力装置と複数のコンピュータのいずれか１つとの接続をアクティブにするものである。ユーザはＫＶＭ切替器を用いて、複数のコンピュータの中から入出力装置に接続すべきコンピュータを選択して利用する。
【０００３】
図１に従来のＫＶＭ切替器の構成を示す。ＫＶＭ切替器は、コンピュータ装置１ａ，１ｂ・・・１ｎ（以下、任意のコンピュータ装置を指す時に、代表する番号として「１」と表記する）側に設けられたサーバユニット２ａ，２ｂ・・・２ｎ（以下、任意のサーバユニットを指す時には、代表する番号として「２」と表記する）と、キーボード６ａ，６ｂ・・・６ｎ（以下、任意のキーボードを指す時に、代表する番号として「６」と表記する）、マウス７ａ，７ｂ・・・７ｎ（以下、任意のマウスを指す時に、代表する番号として「７」と表記する）、モニタ５ａ，５ｂ・・・５ｎ（以下、任意のモニタを指す時に、代表する番号として「５」と表記する）等の入出力装置側に設けられたユーザユニット４ａ，４ｂ・・・４ｎ（以下、任意のユーザユニットを指す時に、代表する番号として「４」と表記する）と、これらのユニット間に設けられ、接続するコンピュータ装置１と入出力装置とを切り替えるスイッチを有するメインユニット３とを有している。
【０００４】
映像信号は、コンピュータ装置１から出力され、サーバユニット２を経由してメインユニット３に出力される。メインユニット３では、マトリクススイッチ部１２で接続先のユーザユニット４を選択し、そのユーザユニット４を経由してモニタ５に映像信号が出力される。
【０００５】
メインユニット３とユーザユニット４との間のケーブル長は、数百メートルにも延長される場合があり、ユーザユニットに届いた映像信号は、大きな減衰、遅れが発生する。そのため、ユーザユニット内には、映像信号を調整する映像信号調整部が設けられている。
【０００６】
図２にメインユニット３の構成を示す。メインユニット３は、各サーバユニット２ａ，２ｂ・・・２ｎからの映像信号を入力する映像信号入力部１１ａ，１１ｂ・・・１１ｎ（図２には、映像信号入力部１１ａ，１１ｂのみを表記する）、入力した映像信号の出力先を切り替えるマトリクススイッチ部１２、マトリクススイッチ部１２から出力される映像信号と、基準信号発生部１６から出力される基準信号とのいずれか一方を出力するスイッチ部１３ａ、１３ｂ・・・１３ｍ（図２には、スイッチ部１３ａ、１３ｂのみを表記する）と、スイッチ部１３ａ，１３ｂから出力された映像信号又は基準信号を後段のユーザユニット４に出力する映像信号出力部１４ａ、１４ｂ・・・１４ｍ（図２には、映像信号出力部１４ａ、１４ｂのみを表記する）と、スイッチ部１３ａ，１３ｂとキーボード、マウス信号合成部１７とを制御するマイコン１５と、基準信号を発生する基準信号発生部１６と、キーボード、マウスの制御信号を合成するキーボード、マウス信号合成部１７とを有している。
【０００７】
マイコン１５は、映像信号の調整タイミングとなると、スイッチ部１３ａ，１３ｂを制御して、基準信号発生部１６からの基準信号を映像信号出力部１４ａ，１４ｂに出力させる。
【０００８】
図３には、複数のユーザユニット４のうちの、ユーザユニット４ａの構成を代表して示す。ユーザユニット４ａは、図３に示すように映像信号入力部２１ａ、映像信号調整部２２ａ、映像信号出力部２３ａ、Ａ／Ｄ変換器２４ａ、マイコン２５ａを有している。
メインユニット３から基準信号が送られると、ユーザユニット４ａはこれを映像信号入力部２１ａで取り込んで、映像信号調整部２２ａに出力する。映像信号調整部２２ａは、入力した基準信号を映像信号出力部２３ａに出力する。
Ａ／Ｄ変換器２４ａは、映像信号調整部２２ａから出力される基準信号をＡ／Ｄ変換して、マイコン２５ａに出力する。マイコン２５ａは、基準信号の出力レベルをもとに、映像信号調整部２２ａの出力信号が最適となるとように映像信号調整部２２ａを調整する。
【０００９】
特許文献１は、送信装置側に基準信号発生部を設け、受信装置側で画質の自動調整を行うシステムが開示されている。
【００１０】
特許文献２には、送信装置側に基準信号発生回路を設け、受信装置側で自動的にゲイン調整を行うケーブル補償装置が開示されている。
【００１１】
【特許文献１】特開２００５−２７８０８５号公報
【特許文献２】特開平９−２１９８０３号公報
【発明の開示】
【発明が解決しようとする課題】
【００１２】
ＫＶＭ切替器を、上述したようにサーバユニット、メインユニット、ユーザユニットからなる構成とした場合、メインユニットとユーザユニットとの距離だけでなく、サーバユニットとメインユニットとの距離も長くなったり、短くなったりする。
【００１３】
ＫＶＭ切替器では、ある程度のユニット間距離を想定して、映像信号調整部２２ａのゲイン調整が行われる。従ってあまりにもユニット間の距離が短いと、映像信号調整部２２ａのゲイン調整を行っても、信号電圧レベルが必要なレベルまで下がらず、画質がハレーションを起こすことがある。逆に、サーバユニットとメインユニットとの距離が長くなると、従来のようにメインユニットとユーザユニットとの間だけで信号電圧レベルの調整を行っていては、所望の信号電圧レベルを得ることができないという問題もある。また、特許文献１及び２の開示技術でもこの課題を解決することはできない。
【００１４】
本発明は上記事情に鑑みてなされたものであり、接続する装置間の距離によらず、出力される信号のレベルを最適に調整することができるＫＶＭ切替器及びその調整方法を提供することを目的とする。
【課題を解決するための手段】
【００１５】
かかる目的を達成するために本発明のＫＶＭ切替器は、複数のコンピュータ装置のそれぞれ接続した複数のサーバユニットと、前記複数のコンピュータ装置に対して信号の入出力を行うための複数の入出力装置のそれぞれに接続した複数のユーザユニットと、前記複数のサーバユニットと前記複数のユーザユニットとを選択的に接続するメインユニットとを有し、入出力装置にて信号の入出力対象となるコンピュータ装置を切り替えるＫＶＭ切替器であって、前記サーバユニットは、映像信号の歪み調整に使用する第１基準信号を発生する第１基準信号発生手段を有し、前記メインユニットは、前記第１基準信号を受信して、前記映像信号の歪み調整を行う第１調整手段と、前記映像信号の歪み調整に使用する第２基準信号を発生する第２基準信号発生手段とを有し、前記ユーザユニットは、前記第２基準信号を受信して、前記映像信号の歪み調整を行う第２調整手段を有することを特徴としている。
【００１６】
このように本発明は、サーバユニットとメインユニットとの間で第１調整手段の調整を行うと共に、メインユニットとユーザユニットとの間でも第２調整手段の調整を行うことで、２段階の調整が可能となり、接続する装置間の距離によらず、出力する信号のレベルを最適に設定することができる。
【００１７】
上記構成のＫＶＭ切替器において、前記第１調整手段と前記第２調整手段は、受信した基準信号から信号の歪み量を算出し、該歪み量をもとに映像信号の調整を行うとよい。
従って、映像信号の調整を最適に行うことができる。
【００１８】
上記ＫＶＭ切替器において、前記第１調整手段と前記第２調整手段の少なくとも一方は、前記入出力装置からの操作入力に従って、前記映像信号の歪み調整を行うとよい。
従って、手動で第１調整手段と第２調整手段の少なくとも一方を調整することができる。
【００１９】
上記構成のＫＶＭ切替器において、前記第１調整手段と前記第２調整手段との少なくとも一方は、前記信号の歪み量を複数回測定し、歪み量の最大値と最小値との少なくとも一方を求めて、該最大値と最小値との少なくとも一方が設定された範囲内になければ、調整不可能と判定するとよい。
従って、映像信号の調整を最適に行うことができる。
【００２０】
本発明のＫＶＭ切替器の調整方法は、複数のコンピュータ装置に接続した複数のサーバユニットと、複数の入出力装置に接続した複数のユーザユニットと、前記サーバユニットと前記ユーザユニットとを選択的に接続するメインユニットとを有するＫＶＭ切替器の調整方法であって、前記サーバユニットにおいて、映像信号の歪み調整に使用する第１基準信号を発生するステップを有し、前記メインユニットにおいて、前記第１基準信号を受信して、前記映像信号の歪み調整を行うステップと、前記映像信号の歪み調整に使用する第２基準信号を発生するステップとを有し、前記ユーザユニットにおいて、前記第２基準信号を受信して、前記映像信号の歪み調整を行うステップを有している。
【発明の効果】
【００２１】
本発明によれば、接続する装置間の距離によらず、出力される信号のレベルを最適に調整することができるＫＶＭ切替器を提供することができる。
【発明を実施するための最良の形態】
【００２２】
添付図面を参照しながら本発明の最良の実施例を説明する。
【実施例１】
【００２３】
本実施例のＫＶＭスイッチも、図１に示すようにコンピュータ装置１側に設けられたサーバユニット２と、キーボード６、マウス７、モニタ５等の入出力装置側に設けられたユーザユニット４と、これらのユニット間に設けられ、接続するコンピュータ装置１と入出力装置とを切り替えるスイッチを有するメインユニット３とを有している。
【００２４】
図４に、サーバユニット２ａの構成を示す。なお、他のサーバユニットもサーバユニット２ａと同一の構成を有しているので、サーバユニット２ａを説明することで他のサーバユニットの説明に代える。
サーバユニット２ａは、映像信号入力部３１ａと、スイッチ部３２ａと、映像信号出力部３３ａと、基準信号発生部３４ａと、マイコン３５ａと、キーボード、マウス信号分離部３６ａとを有している。
【００２５】
コンピュータ装置１ａから出力される映像信号は、映像信号入力部３１ａでサーバユニット２ａ内に取り込まれ、スイッチ部３２ａに出力される。スイッチ部３２ａは、映像信号出力部３３ａに映像信号を出力し、映像信号出力部３３ａからメインユニット３に出力される。
また、ユーザユニット４とサーバユニット２との間では、１つのケーブルを使用してキーボードとマウスの制御信号が送られる。サーバユニット２ａに入力したキーボードとマウスの制御信号は、キーボード、マウス信号分離部３６ａでそれぞれに分離される。分離されたキーボードの制御信号と、マウスの制御信号は、別々のケーブルに出力され、コンピュータ装置１ａのキーボード信号入力端子と、マウス信号入力端子とにそれぞれ出力される。
【００２６】
さらに、サーバユニット２ａは、基準信号発生部３４ａと、マイコン３５ａとを有している。基準信号発生部３４ａは、メインユニット３とユーザユニット４との少なくとも一方で、映像信号の歪みを調整するための基準信号を発生する。マイコン３５ａは、スイッチ部３２ａを制御して、映像信号出力部３３ａに出力する信号を、映像信号と、基準信号とで切り替える。
【００２７】
図５に、メインユニット３の構成を示す。メインユニット３は、各サーバユニット２ａ，２ｂ・・・２ｎに対応して設けられ、各サーバユニットから出力された映像信号を入力する映像信号入力部４１ａ、４１ｂ・・・４１ｎと、映像信号マトリクススイッチ部４４と、複数のユーザユニットごとに設けられた映像信号出力部４６ａ，４６ｂ・・・４６ｍと、キーボード、マウス信号マトリクススイッチ部４８とを有している。
【００２８】
各サーバユニット２ａ、２ｂ・・・２ｎから出力された映像信号は、映像信号入力部４１ａ、４１ｂ・・・４１ｎでそれぞれ取り込まれ、映像信号マトリクススイッチ部４４に入力される。映像信号マトリクススイッチ部４４は、入力した映像信号の出力先となる映像信号出力部４６ａ，４６ｂ・・・４６ｍを選択するスイッチ部として機能する。映像信号出力部４６ａ，４６ｂ・・・４６ｍは、入力した映像信号を対応するユーザユニット４ａ，４ｂ・・・４ｍに出力する。
また、本実施例のメインユニット３は、サーバユニット２ａ，２ｂ・・・２ｎから出力される基準信号を、通常の映像信号と同様に、設定されたユーザユニット４ａ，４ｂ・・・４ｍに出力する。
【００２９】
図６にユーザユニット４ａの構成を示す。なお、他のユーザユニットもユーザユニット４ａと同一の構成を有しているので、ユーザユニット４ａについて説明することで他のサーバユニットの説明に代える。
ユーザユニット４ａは、メインユニット３から出力された映像信号を入力する映像信号入力部５１ａと、映像信号の信号レベルを調整する映像信号調整部５２ａと、信号レベルを調整後の映像信号を出力する映像信号出力部５３ａとを有している。さらに、ユーザユニット４ａは、映像信号調整部５２ａから出力される基準信号をデジタル信号に変換するＡ／Ｄ変換器５４ａと、デジタル変換された基準信号をもとに、映像信号調整部５２ａの信号出力レベルを調整するマイコン５５ａとを有している。
また、ユーザユニット４ａは、キーボード、マウス信号合成部５６ａを有している。キーボード、マウス信号合成部５６ａは、キーボードとマウスの制御信号を合成する。合成した信号は、１本のケーブルでメインユニット３、サーバユニット２に送信される。
【００３０】
本実施例のＫＶＭスイッチは、図４に示すようにサーバユニット２に、基準信号発生部３４を設けて、映像信号の信号歪みをユーザユニット４で調整している。ユーザユニット４ａは、図６に示すように映像信号調整部５２ａから出力される基準信号を、Ａ／Ｄ変換器５４ａでＡ／Ｄ変換し、マイコン５５ａで基準信号信号の出力電圧レベル、遅延などの歪み量を求める。求めた歪み量をもとに映像信号調整部５２ａの調整を行う。
サーバユニット２に基準信号発生部３４を設けることで、サーバユニット２と、ユーザユニット４との間で画質調整等の信号歪みの調整が可能となる。従って、メインユニットが何らかの理由で故障し、動作不能となった場合に、サーバユニット２とユーザユニット４とを直結してデータの送受信を行うも可能となる。
【実施例２】
【００３１】
図７に、本実施例のメインユニット３の構成を示す。本実施例は、サーバユニット２から送信される基準信号（第１基準信号）をメインユニット３で受信して、映像信号の調整を行う。このため、映像信号調整部４２ａ・・・４２ｎと、Ａ／Ｄ変換器４３ａ，４３ｎと、マイコン４９（これらは本発明の第１調整手段と呼ぶ）とをメインユニット３に設けている。これらの機能部を用いた信号歪みの補正方法は、実施例１で説明した通りである。
また、メインユニット３と、ユーザユニット４との間でも映像信号の調整を行うために、メインユニット３に基準信号発生部４７を設けている。ユーザユニット４の構成は、図６に示す通りであり、基準信号（本発明の第２基準信号）を受信して映像信号調整部５２ａの調整を行う。なお、映像信号調整部５２ａと、Ａ／Ｄ変換器５４ａと、マイコン５５ａとが本発明の第２調整手段に該当する。
【００３２】
サーバユニット２とメインユニット３との間の距離が長くなると、メインユニットとユーザユニットとの間だけの調整だけでは、映像信号の調整が不完全なときもある。このような場合に、サーバユニット２とメインユニット３との間で、信号のゲインやディレイの補正をすると共に、メインユニット３とユーザユニット４との間でも信号のゲインやディレイの補正を行う。すなわち、メインユニット３に設けた映像信号調整部４２と、ユーザユニット４に設けた映像信号調整部５２の調整を行う。これにより、接続するコンピュータ装置１と、入出力装置との距離によらず、出力される信号のレベルを最適に調整することができる。
【００３３】
また、ＫＶＭ切替器では、ある程度のユニット間距離を想定して、信号電圧レベルが設定されている。従ってあまりにもユニット間の距離が短いと、ユーザユニット４の映像信号調整部５２のゲイン調整を行っても、信号電圧レベルが必要なレベルまで下がらず、画質がハレーションを起こすことがある。このような場合にも、メインユニット３に設けた映像信号調整部４２と、ユーザユニット４に設けた映像信号調整部５２との両方の調整を行うことで、信号電圧レベルを最適なレベルに調整し、画質のハレーションを防ぐことができる。
【００３４】
さらに、サーバユニット２は、コンピュータ装置１から電源の供給を受けているため、接続するコンピュータ装置１の違いにより、電源レベルが異なる。このため、あるコンピュータ装置１にサーバユニット２を接続した場合には、画質調整ができ、きれいな画質が得られるが、このコンピュータ装置１を接続していたサーバユニット２に別のコンピュータ装置１を接続した場合、ゲインを調整しきれず、画質調整が上手くいかないといった問題が発生する。そこで本実施例では、電源レベルが低く、ゲインが保てない場合に、メインユニット３の映像信号調整部４２のゲインを上げて、信号電圧レベルを上げることで、このような問題を解決することもできる。
【００３５】
図８には、メインユニット３のマイコン４９で、映像信号調整部４２の調整を行うか否かを判定する判定フローを示す。
サーバユニット２から送られる基準信号を映像信号調整部４２ａ（又は４２ｂ）で受信して、映像信号調整部４２ａ（又は４２ｂ）で信号調整した後に映像信号マトリクススイッチ部４４に出力する。
Ａ／Ｄ変換器４３ａ（４３ｂ）は、映像信号調整部４２ａ（４２ｂ）から出力される映像信号をＡ／Ｄ変換し、マイコン４９に出力する。マイコン４９には、映像信号調整部４２ａ（又は４２ｂ）で調整後の信号がサンプルとして送られる（ステップＳ１）。
【００３６】
マイコン４９は、サンプリングデータが複数個集まると、信号電圧の最小値（Ｖｍｉｎ）と最大値（Ｖｍａｘ）とを求める（ステップＳ２）。次に、マイコン４９は、信号電圧の最小値Ｖｍｉｎと第１しきい値（Ｓｍｉｎ）とを比較する。信号電圧の最小値Ｖｍｉｎが第１しきい値（Ｓｍｉｎ）よりも小さい場合には（ステップＳ３／ＹＥＳ）、マイコン４９は、歪み調整不可能と判定して（ステップＳ６）、アラームを発信する。
【００３７】
また、信号電圧の最小値Ｖｍｉｎが第１しきい値（Ｓｍｉｎ）よりも大きい場合には（ステップＳ３／ＮＯ）、マイコン４９は、信号電圧の最大値Ｖｍａｘと第２しきい値（Ｓｍａｘ）とを比較する（ステップＳ４）。信号電圧の最大値Ｖｍａｘが第２しきい値（Ｓｍａｘ）よりも大きい場合には（ステップＳ４／ＹＥＳ）、マイコン４９は歪み調整不可能と判定して（ステップＳ６）、アラームを発信する。また、信号電圧の最大値Ｖｍａｘが第２しきい値（Ｓｍａｘ）よりも小さい場合には（ステップＳ４／ＮＯ）、マイコン４９は歪み調整量を算出して、映像信号調整部４２ａ（又は４２ｂ）を調整する。
【００３８】
なお、ユーザユニット４のマイコン５５による映像信号調整部５２の調整、メインユニット３のマイコン４９による映像信号調整部４２の調整以外に、マウス７ａやキーボード６ａを用いてユーザが手動で歪み調整ができるようにしてもよい。この場合の構成を図９に示す。キーボード６ａ、マウス７ａからの制御信号をマイコン５５ａに入力して、映像信号調整部５２ａの調整量を補正している。また、図１０に示すように、キーボード６ａ、マウス７ａからの制御信号をマイコン４９に入力して、映像信号調整部４２ａ、・・・４２ｎの調整量を補正している。
【００３９】
さらに、図１１、１２に示すようにマイコン５５、４９によって映像信号調整部５２、映像信号調整部４２の調整を行うのではなく、手動だけで映像信号調整部５２、映像信号調整部４２の調整を行うようにしてもよい。キーボード６ａ、マウス７ａからの制御信号を、マイコン５５、４９に入力して、マイコン５５、４９は、これらの制御信号をもとに映像信号調整部５２、４２の調整を行う。
【００４０】
上述した実施例は、本発明の好適な実施例である。但し、これに限定されるものではなく、本発明の要旨を逸脱しない範囲内において種々変形実施可能である。
【図面の簡単な説明】
【００４１】
【図１】ＫＶＭ切替器の全体構成を示す図である。
【図２】従来のメインユニットの構成を示す図である。
【図３】従来のユーザユニットの構成を示す図である。
【図４】サーバユニットの構成を示す図である。
【図５】メインユニットの構成を示す図である。
【図６】ユーザユニットの構成を示す図である。
【図７】実施例２のメインユニットの構成を示す図である。
【図８】メインユニットのマイコンの処理手順を示すフローチャートである。
【図９】ユーザユニットの映像信号調整部を手動で調整する構成をさらに備えたユーザユニットの構成を示す図である。
【図１０】メインユニットの映像信号調整部を手動で調整する構成をさらに備えたメインユニットの構成を示す図である。
【図１１】ユーザユニットの映像信号調整部を手動だけで調整するユーザユニットの構成を示す図である。
【図１２】メインユニットの映像信号調整部を手動だけで調整するメインユニットの構成を示す図である。
【符号の説明】
【００４２】
１  コンピュータ装置
２  サーバユニット
３  メインユニット
４  ユーザユニット
５  モニタ
６  キーボード
７  マウス
１１、２１、３１、４１、５１  映像信号入力部
１２、３４  基準信号発生部
１３、３２  スイッチ部
１４、２５、３５、５５  マイコン
１５、２３、３３、４６、５３  映像信号出力部
２２、５２  映像信号調整部
２４、５４  Ａ／Ｄ変換器
３６、  キーボード、マウス信号分離部
４４  映像信号マトリクススイッチ
４８  キーボード、マウス信号マトリクススイッチ部
５６  キーボード、マウス信号合成部
【図１】
2008129908.tif 000003
【図２】
2008129908.tif 000004
【図３】
2008129908.tif 000005
【図４】
2008129908.tif 000006
【図５】
2008129908.tif 000007
【図６】
2008129908.tif 000008
【図７】
2008129908.tif 000009
【図８】
2008129908.tif 000010
【図９】
2008129908.tif 000011
【図１０】
2008129908.tif 000012
【図１１】
2008129908.tif 000013
【図１２】
2008129908.tif 000014